(57)【要約】【課題】手指の爪根部の左右両側部を効果的に押圧し、該爪根部の左右両側部に指圧効果を与える。【解決手段】手指Ｆを挿入可能な挿入部７に対して手指Ｆの指頭部と当接する受け部材８と、該手指Ｆの爪根部の左右両側部を押圧する一対の凸部９を有する押圧部材１０と、前記受け部材８と押圧部材１０の一対の凸部９とを相対的に遠近移動する押動手段１１とを有している。【選択図】図１
2006181178.tif 000002
【特許請求の範囲】
【請求項１】
手指（Ｆ）を挿入可能な挿入部（７）に対して手指（Ｆ）の指頭部と当接する受け部材（８）と、該手指（Ｆ）の爪根部の左右両側部を押圧する一対の凸部（９）を有する押圧部材（１０）と、前記受け部材（８）と押圧部材（１０）の一対の凸部（９）とを相対的に遠近移動する押動手段（１１）とを有することを特徴とする手指按摩機。
【請求項２】
前記押動手段（１１）は、受け部材（８）に対して押圧部材（１０）の一対の凸部（９）を遠近移動させる、及び／又は、押圧部材（１０）の一対の凸部（９）に対して受け部材（８）を遠近移動させることを特徴とする請求項１に記載の手指按摩機。
【請求項３】
設置可能な本体（１）に、前記挿入部（７）を複数形成し、これら複数の挿入部（７）に挿入される手指（Ｆ）及び／又は手掌部を加温する加温手段（１４）を配備したことを特徴とする請求項１又は請求項２に記載の手指按摩機。
【発明の詳細な説明】
【技術分野】
【０００１】
本発明は、手指の指圧・按摩を行うための手指按摩機に関するものである。
【背景技術】
【０００２】
従来より、手の親指、示指、中指及び小指の爪根部の左右両側部を押圧することにより、パーキンソン病を含む各種疾病の治療に一定の効果があるとされる所謂「爪もみ」治療法が知られている（非特許文献１参照）。
ところで、指先部をマッサージする装置として、特許文献１には、「外周壁の一部に開部を形成してなる筒体を、把持部の一端に設けると共に、筒体の開部の一端に締付帯を係止した」構成を有する指マッサージ具が提案されている。
【特許文献１】特開平１１−１６９４１５号公報
【非特許文献１】福田稔・安保徹著、「奇跡が起こる爪もみ療法」マキノ出版、２００２年６月２３日発行
【発明の開示】
【発明が解決しようとする課題】
【０００３】
しかしながら、上記指マッサージ具は、筒体の内壁と締付帯によって筒体に挿入した指を挟持し、把持部を回転させて筒体を締付帯と共に回転させることにより、前記指にマッサージ効果を与えるものであって、指の所定の部位を集中的に押圧して該部位に指圧効果を与えるものではない。また、上述の「爪もみ」治療法は、手の震え等の不随意運動を発症しているパーキンソン病の患者が独りで行うには大きな困難が伴うものである。
そこで、本発明は、上記問題点に鑑み、手指の爪根部の左右両側部を効果的に押圧し、該左右両側部に指圧効果を与えることができる手指按摩機を提供することを目的とする。
【課題を解決するための手段】
【０００４】
本発明においては、手指を挿入可能な挿入部に対して手指の指頭部と当接する受け部材と、該手指の爪根部の左右両側部を押圧する一対の凸部を有する押圧部材と、前記受け部材と押圧部材の一対の凸部とを相対的に遠近移動する押動手段とを有している。
これによれば、挿入部に手指を挿入した状態で押動手段を介して受け部材と押圧部材の一対の凸部を近接させることにより、手指の爪根部の左右両側部が該一対の凸部によって押圧されることとなり、これによって、該左右両側部に指圧効果を与えることができる。
また、前記押動手段は、受け部材に対して押圧部材の一対の凸部を遠近移動させる、及び／又は、押圧部材の一対の凸部に対して受け部材を遠近移動させることが好ましい。
【０００５】
これによれば、押動手段によって受け部材と押圧部材の何れか一方を他方に向けて遠近移動させることができる。或いは、押動手段によって両部材を互いに遠近移動させることができる。
また、本発明は、設置可能な本体に、前記挿入部を複数形成し、これら複数の挿入部に挿入される手指及び／又は手掌部を加温する加温手段を配備していることが好ましい。
これによれば、１個の本体で、一度に複数の手指の爪根部に指圧効果を与えることが可能となる。しかも、加温手段によって挿入部に挿入した手指及び／又は手掌部を暖めることができ、これによって手の血行促進効果を得ることができる。
【発明の効果】
【０００６】
本発明によれば、手指の爪根部の左右両側部を効果的に押圧し、該爪根部の左右両側部に指圧効果を与えることができる。
【発明を実施するための最良の形態】
【０００７】
以下、本発明の実施の形態を図面を参照して説明する。
図１〜図３は、本発明に係る手指按摩機の第１の実施の形態を示している。
図３に示す如く、本実施の形態の手指按摩機（本体）１は、机や平台等に設置可能であり、基台２と、該基台２の上面に配備されたドーム３とから構成されている。
基台２は、扁平な直方体状に形成されており、スイッチ４を集中配備した操作部５とコンセント部６とが設けられている。ドーム３は、上方突出状の湾曲面を有し、その外周縁は、基台２上面の４辺にそれぞれ当接している。
【０００８】
また、該ドーム３には、左右一方の手（本実施に形態においては左手）の親指、示指、中指、薬指及び小指と対向する位置に、これらの手指をそれぞれ挿入すべき５つの挿入部７が形成されている。
なお、図３の手指按摩機１は左手用であるが、右手の手指に対応させた挿入部を有する右手用の手指按摩機ももちろん存在する。
以下では示指の挿入部７についてのみ説明し、他の手指の挿入部７は示指の挿入部７の構造と同一とする。
【０００９】
図１及び図２に示す如く、挿入されるべき手指（ここでは示指）Ｆを挿脱可能な大きさを有する挿入部７には、該挿入部７に対して手指の指頭部Ｆと当接する受け部材８と、該手指Ｆの爪根部の左右両側部を押圧する一対の凸部９を有する押圧部材１０とが配備され、受け部材８と押圧部材１０の一対の凸部９（指圧体）とを相対的に遠近移動する押動手段１１が挿入部７の外方側に配備されている。
なお、挿入部７の開口縁から押圧部材１０までの距離は、幼児の手指の基端から第１関節までの長さよりも大きいものとされている。
【００１０】
図１に示す如く、受け部材８は平板状に形成されており、挿入部７に挿入した手指Ｆの指頭部と当接する当接部２１を備え、該当接部２１の左右両側には一対の開口部２２が形成されており、該開口部２２に押圧部材１０が挿通されている。
押圧部材１０は、ばね鋼等の弾性復帰力を備えた鋼材によって形成され、手指Ｆの外周を略包囲するＣリング形状を呈しており、中央から両端へ湾曲した一対の湾曲部２３を有する。
また、押圧部材１０は、上述の如き材料によって形成されることにより、図中に二点鎖線によって示す如く一対の先端部２３ａを互いに離間する方向に拡げた場合にも、図中に実線により示される該一対の先端部２３ａが互いに近接した元の形状に復帰する弾性復帰力を有する。また、押圧部材１０の中央部は支持部材２４を介して受け部材８の当接部２１の裏面に支持されている。
【００１１】
前記一対の湾曲部２３は、先端部２３ａを受け部材８の表面側に突出させた状態で該受け部材８の開口部２２にそれぞれ挿通されており、当接部２１の中心を表裏に貫通する中心線Ｘを対称軸として互いに対向している。
そして、各湾曲部２３の先端部２３ａに、前記凸部９が挿入部７に挿入した手指Ｆの爪根部に向けて突設されている。該凸部９はそれぞれ、図１及び図２に示す如く、前記手指Ｆの爪根部の一側及びその近傍を覆う底面を有すると共に該一側を押圧する頂部を有する逆錐体状を呈している。
【００１２】
また、押圧部材１０の一対の先端部２３ａはそれぞれ、前記押動手段１１に連接されている。
該押動手段１１は、前記一対の先端部２３ａを拡縮するトグル機構２８と、該トグル機構２８を駆動させる駆動機構２９とから構成されており、該駆動機構２９は前記スイッチ４に接続された制御手段１２に電気的に連結されている。
トグル機構２８は、棒状の移動部材３０と、該移動部材３０の先端部及び前記押圧部材１０の一対の先端部２３ａに両端を枢支された一対の連結部材３１とを備えている。
【００１３】
また、駆動機構２９は、フレーム３２に包囲されたコイル３３と、該コイル３３に内嵌された鉄芯３４を備えたソレノイド機構を有するものであって、該鉄芯３４には、第１ばね３５及び第２ばね３６が内嵌されており、該第１及び第２ばね３５、３６には前記トグル機構２８の移動部材３０が内嵌されている。
また、鉄芯３４の内周壁には、第１ばね３５と第２ばね３６の間を仕切る仕切板３７が突設され、第１ばね３５は、前記移動部材３０の外周面に突設されたばね受部３０ａと仕切板３７との間に配備されており、第２ばね３６は、該仕切板３７とフレーム３２の突出部３２ａとの間に配備されている。
【００１４】
また、第１及び第２ばね３５、３６は互いに略同一のばね力を有しており、鉄芯３４の仕切板３７が受け部材８に近接した側でこれら第１及び第２ばね３５、３６によって挟持されている状態においては、これら第１及び第２ばね３５、３６はフレーム３２の突出部３２ａと移動部材３０のばね受部３０ａに挟持された一本のばねとして作用する。そして、該ばねのばね力によって前記一対の連結部材３１の押圧部材側の端部が開き状態とされ、これにより押圧部材１０の一対の先端部２３ａが前記弾性復帰力に抗して互いに離間する。
【００１５】
また、第２ばね３６が鉄芯３４の仕切板３７とフレーム３２の突出部３２ａによって収縮されると、押圧部材１０は前記弾性復帰力にしたがって一対の先端部２３ａが互いに近接し、これに伴って前記一対の連結部材３１の押圧部材側の端部が互いに近接すると共に移動部材３０が受け部材８から離間する方向に移動する。
また、図２に示す如く、挿入部７には、該挿入部７に挿入された手指Ｆを覆う布製又はナイロン製又はこれらを所定の比率で編み込んだ包体１３が装入されている。
また、図２及び図３に示す如く、ドーム３には、各挿入部７に手指Ｆを挿入した手の手掌部との対向位置及び各挿入部７に加温手段１４が設けられており、該加温手段１４は、制御手段１２を介してスイッチ４に電気的に連結されており、該スイッチ４を操作することにより、加温手段１４による加温温度や加温時間等を調整可能とされている。
【００１６】
なお、上記非特許文献１によれば、薬指への「爪もみ」治療法は原則行わないとされていることから、薬指に対応する挿入部７には、包体１３及び加温手段１４のみが配備されている。
第１の実施の形態を使用する場合には、先ず、図２中に二点鎖線で示す如く、挿入部７に手指Ｆを挿入する。このとき、手指Ｆの指頭部を受け部材８の当接部２１に当接させると共に、爪根部の左右両側部を押圧部材１０の一対の凸部９と対向させるべく手指Ｆの挿入位置を調節する。
【００１７】
その後、前記操作部５を操作することにより、制御手段１２を介して駆動機構２９のコイル３３を励磁させ、鉄芯３４を受け部材８から離間する方向に移動させる。これによって、鉄芯３４の仕切板３７とフレーム３２の突出部３２ａに挟持された第２ばね３６が収縮することとなり、第１ばね３５によって押圧部材１０の一対の先端部２３ａに作用している前記弾性復帰力に抗する反力が解除されると共に、第２ばね３６に鉄芯３４を受け部材８に向けて移動させる反発力が蓄えられる。
これにより、前記一対の先端部２３ａが前記弾性復帰力にしたがって互いに近接し、一対の連結部材３１の押圧部材側の端部が互いに近接すると共に移動部材３０が受け部材８から離間する方向に移動する。これに伴い、一対の凸部９は受け部材８に向けてそれぞれ近接し、該一対の凸部９によって手指Ｆの爪根部の左右両側部が押圧されることとなる。
【００１８】
また、かかる押圧状態を解除するには、制御手段１２を介してコイル３３を消磁させる。これにより、鉄芯３４は第２ばね３６の前記反発力によって受け部材８に向けて移動することとなり、鉄芯３４の仕切板３７が上述の如く第１及び第２ばね３５、３６のバランスによって挟持される。このとき、移動部材３０は、第１ばね３５のばね力によってばね受部３０ａが受け部材８に向けて押圧されることにより受け部材８に向けて移動する。
これによって、一対の連結部材３１の押圧部材側の端部が互いに離間する方向に拡がり、前記押圧部材１０の一対の湾曲部２３の先端部２３ａが前記弾性復帰力に抗して互いに離間し、これに伴って一対の凸部９が手指Ｆの爪根部の左右両側部から離間する。これにより、手指Ｆを挿入部７から抜き出すことが可能となる。
【００１９】
本実施の形態の手指按摩機１によれば、手指Ｆを固定した状態で該手指Ｆの爪根部の左右両側を確実に押圧することができ、パーキンソン病等の不随意運動を発症している患者においても確実に「爪もみ」治療を行うことができる。また、加温手段１４によって手掌部及び手指Ｆを温熱することにより、「爪もみ」治療に加えて手指Ｆ及び手掌部の血行も促進される。また、一対の凸部９は押圧部材１０の弾性復帰力によって手指Ｆの爪根部の左右両側部を押圧しているため、使用者はこの状態からでも手指Ｆを挿入部７から抜き出すことが可能である。
【００２０】
図４は、第２の実施の形態を示しており、該第２の実施の形態の押動手段１１は、隣接する挿入部７の押圧部材１０の湾曲部２３の先端部２３ａどうしを互いに連結する第１〜第３連結部材４１、４２、４３と、親指の挿入部７に配備された押圧部材１０の外方側の先端部２３ａと本体１内部の枢着部とを連結する第４連結部材４４と、小指の挿入部７に配備された押圧部材１０の外方側の先端部２３ａと本体１内部の枢着部とを連結する第５連結部材４５とを備えている。
各連結部材４１〜４５の両端部は枢軸を介して各押圧部材１０の先端部２３ａや枢着部にそれぞれ枢支されている。また、第３連結部材４３の中途部は薬指の挿入部７に向けて屈曲しており、該中途部には該第３連結部材４３の薬指の挿入部７への当接を回避すべくガイド部材４３ａが当接している。
【００２１】
これらの連結部材４１〜４５は、通電によって伸長方向に緊張収縮し、非通電によって伸長方向に弛緩伸長する自己伸縮性を備えたＴｉ−Ｎｉ系形状記憶合金（例えばトキ・コーポレーション株式会社製のバイオメタル等）からなり、かかる性能を発現させるべく各連結部材４１〜４５には前記制御手段１２に連結された通電手段４６が接続されている。
第２の実施の形態を使用する場合、先ず、通電手段４６介して各連結部材４１〜４５を通電状態とする。これによって各連結部材４１〜４５はその伸長方向に収縮し、各押圧部材１０の一対の先端部２３ａには、それぞれ前記弾性復帰力とは反対の方向に該弾性復帰力よりも大きな引張力が作用する。
【００２２】
該引張力により、各押圧部材１０の一対の先端部２３ａは図中に二点鎖線で示す如く受け部材８から離間する方向にそれぞれ移動し、これに伴って一対の凸部９が受け部材８から離間する。この状態で手指Ｆを挿入部７に挿入する。
その後、通電手段４６を介して各連結部材４１〜４５への通電状態を解除する。これによって、各連結部材４１〜４５が図中に実線で示す如くその伸長方向に伸長して弛緩状態となるため、前記引張力が各押圧部材１０の前記弾性復帰力よりも小さなものとなり、各押圧部材１０の一対の先端部２３ａは互いに近接すると共に受け部材８に向けて移動する。この結果、一対の凸部９が手指Ｆの爪根部の左右両側部を押圧するのである。
【００２３】
また、かかる状態を解除するには、通電手段４６を介して再び各連結部材４１〜４５を通電状態に設定する。これによって、上述の如く各押圧部材１０の一対の先端部２３ａは互いに離間し、これに伴って各凸部９が各手指Ｆの爪根部の側部から離間する。
第２の実施の形態によれば、一の通電手段４６を通じて総ての手指Ｆの爪根部を同時に押圧することができる。また、機械的手段を講じることなく各凸部９を挿入部７内の手指Ｆの爪根部の側部に近接離間させることができ、騒音無く極めて静かな状態で「爪もみ」治療が施されることとなる。
【００２４】
図５は、第３の実施の形態を示しており、該第３の実施の形態の挿入部７の押圧部材１０は、受け部材８の開口部２２に挿通された一対のアーム５１からなり、該一対のアーム５１は、ばね材５１ａによって互いにばね付勢された状態で前記中心線Ｘを対称軸として対向している。
アーム５１は、手指Ｆの指頭部の側面形状に沿った湾曲状に形成されており、該アーム５１の一方の端部に前記凸部９が受け部材８の当接部２１の表面に向けて突設されている。また、アーム５１の中途部には、前記中心線Ｘから離間する方向に枢支部５３が突設され、該枢支部５３は、受け部材８の表面に配備された枢軸部５４に枢支されている。
【００２５】
押動手段１１は、一対のアーム５１の他方の端部にそれぞれ設けられた傾斜面５５と、一対の傾斜面５５に摺接する摺動面５６を備えた移動素子５７と、該移動素子５７を受け部材８に遠近移動させるソレノイド機構５８とから構成されている。
一対の傾斜面５５はそれぞれ、受け部材８の裏面から離間するにつれて前記中心線Ｘに近接すべく該中心線Ｘに対して傾斜し、該中心線Ｘを対称軸として互いに対称である。
ソレノイド機構５８は、鉄芯５９と、該鉄芯５９に外嵌されたコイル６０と、受け部材８から離間する方向に移動した鉄芯５９を受け部材８に向かう方向に付勢しているばね部材６０ａと、該コイル６０を覆うフレーム６１とから構成されており、該コイル６０が前記制御手段１２に電気的に連結されている。
【００２６】
また、鉄芯５９は、移動素子５７に突設されたポール６２に螺嵌されており、該ポール６２を前記中心線Ｘを回転軸として回転させることによって移動素子５７が受け部材８に対して遠近移動し、これに伴って移動素子５７の摺動面５６が傾斜面５５上を摺動することにより、一対のアーム５１が揺動する。
第３の実施の形態を使用する場合には、先ず、挿入部７に手指Ｆを挿入し、その後、前記操作部５を操作することにより押動手段１１のポール６２を鉄芯５９に対して回転させることにより移動素子５７を受け部材８に対して近接離間させる。このとき、該移動素子５７の摺動面５６がアーム５１の傾斜面５５上を摺動することとなり、これに伴ってアーム５１が揺動する。これにより、両アーム５１の凸部９を手指Ｆの爪根部の側部にそれぞれ当接させる。
【００２７】
そして、この状態で押動手段１１のソレノイド機構５８のコイル６０を励磁させる。これによって、鉄芯５９が受け部材８から離間する方向に移動するため、移動素子５７が受け部材８から離間すると共に該移動素子５７の摺動面５６によってアーム５１の傾斜面５５が前記中心線Ｘから離間する方向に押し拡げられる。このため、アーム５１は前記一方の端部が手指Ｆに近接する方向に揺動し、これにより凸部９が手指Ｆの爪根部の側部を強く押圧する。
かかる状態を解除する場合には、ソレノイド機構５８のコイル６０を消磁させる。これにより、鉄芯５９がばね部材６０ａの付勢力によって受け部材８に向けて移動し、これに伴って移動素子５７が受け部材８に向けて移動する。このとき、一対のアーム５１の傾斜面５５がばね材５１ａの付勢力及び移動素子５７の摺動面５６による案内にしたがって互いに近接する方向に揺動し、これに伴って一対の凸部９が手指Ｆの爪根部から離間する。これにより、凸部９による手指Ｆの爪根部の側部の押圧状態が解除される。
【００２８】
第３の実施の形態によれば、一対の凸部９の位置を調整することにより挿入部７に挿入した手指Ｆの爪根部の側部に該一対の凸部９を当接させ、この状態から押動手段１１を動作させることにより、より確実に爪根部の側部が凸部９によって押圧されるのである。また、挿入部７に挿入される手指Ｆの大きさに応じた凸部９の位置調整が可能となる。
図６は、第４の実施の形態を示している。該第４の実施の形態の挿入部７の押圧部材１０は、挿入部７の内壁に取り付けられており、該押圧部材１０の両端部に凸部９がそれぞれ配備されている。
【００２９】
また、受け部材８は、手指Ｆの指頭部と当接すべき当接部７１と、該当接部７１の左右両端部から延接されて該指頭部の側部と対向する一対の湾曲脚部７２とから構成されている。
押動手段１１は、受け部材８の当接部７１の裏面側に配備されており、受け部材８を支持する支持体７３と、前記第３の実施に形態に示されるソレノイド機構５８とから構成されており、該ソレノイド機構５８の鉄芯５９の先端が支持体７３に連結されている。
なお、該ソレノイド機構５８のコイル６０の励磁方向は第３の実施の形態と正反対の方向であり、ばね部材６０ａは鉄心５９を押圧部材１０から離間する方向に付勢している。
【００３０】
第４の実施の形態を使用する場合には、先ず、挿入部７に手指Ｆを挿入し、その後、制御手段１２を介してソレノイド機構５８のコイル６０を励磁させる。これによって、受け部材８が鉄芯５９と共に押圧部材１０に向けて移動し、これに伴って手指Ｆの爪根部の左右両側部が押圧部材１０の一対の凸部９に押圧される。
また、かかる押圧状態を解除する場合には、ソレノイド機構５８のコイル６０を消磁させる。これにより、ばね部材６０ａの付勢力によって鉄心５９が押圧部材１０から離間する方向に移動することとなり、これに伴って受け部材８を押圧部材１０から離間する。これによって、手指Ｆの爪根部の左右両側部の一対の凸部９による押圧状態は解除される。
【００３１】
第４の実施の形態によれば、手指Ｆが受け部材８によって覆われた状態で保持されているため、挿入部７内にて手指Ｆがぶれることなく、確実に手指Ｆの爪根部の左右両側部が一対の凸部９によって押圧される。また、受け部材８を押圧部材１０に対して遠近移動させるべき押動手段１１の構造も簡易である。
図７は、第５の実施の形態の手指按摩機１を示しており、該手指按摩機１は、両手を載置すべきベース板８１と、該ベース板８１の上面を覆う蓋体８２とを備えている。
ベース板８１は、扁平な直方体状に形成されており、上面に両手の手指Ｆを挿入すべき１０個の挿入部７が配備されると共に側面にスイッチ８３を集中配備した操作部８４及びコンセント部８５が設けられている。
【００３２】
また、各挿入部７に手指Ｆを挿入した手の手掌部との対向部及び各挿入部７には加温手段１４が設けられている。
本実施の形態において、挿入部７は、上記第３又は４の実施の形態の挿入部７の構造を有するものが用いられているため、ここでは説明を省略する。
蓋体８２は、半透明の合成樹脂によって形成され、下面開放状の箱形状を呈している。また、ベース板８１の操作部８４の上方となる端部は、ベース板８１上面に載置した両手の手首との干渉を避けるべく湾曲状に切り欠かれている。
【００３３】
第５の実施の形態によれば、両手に同時に「爪もみ」治療を行うことができるため、片手ずつ治療を行う場合と比してより効果的に治療が施されると共に、より短時間で両手に治療が施される。また、「爪もみ」治療時に両手が蓋体８２によって覆われるため、加温手段１４の加温効果や保温効果が向上する。
以上、本発明の実施の形態を詳述したが、本発明は上記の実施の形態に限定されるものではない。例えば挿入部７に手指Ｆを挿入した状態でスイッチ４を操作し、凸部９を手指Ｆの爪根部の側部に向けて繰り返し近接離間させることにより、凸部９によって該側部を揉み込ませることも可能であるし、所定時間（例えば２０秒）に亘って凸部９を該側部に押圧さた状態に保つことも可能である。
【００３４】
また、挿入部７の挿入筒７ａの両端部を貫通させた構成を採用することも可能であり、手指Ｆに外嵌可能なベルト状やキャップ状の挿入部７を採用することも可能である。また、受け部材８と押圧部材１０を互いに近接離間移動させる押動手段１１を備えた挿入部７を採用した場合にも、本実施の形態と同様の効果が得られる。
また、第２の実施の形態の第１〜第５連結部材４１〜４５をそれぞれ電気的に連結した場合にも、本実施の形態と同様の効果が得られる。また、第１〜第５ロッド４１〜４５は、高温と低温で形状を完全に反転する形状記憶合金（例えばＮＥＣトーキン社製のメモアロイ等）によって形成することもでき、この場合、通電手段４６に代えて伝熱手段が採用される。
【００３５】
また、電源スイッチにタイマー機能を付加することも可能であり、これによってスイッチ数を削減することができる。
また、上記第１の実施の形態の２つのドーム３を１つの基台２に配備することにより、両手用の手指按摩機とすることも可能であり、上記第５の実施の形態のベース板８１上面の挿入部７を５つ配備することにより、片手用の手指按摩機とすることも可能である。
【図面の簡単な説明】
【００３６】
【図１】本発明の第１の実施の形態の横断面図である。
【図２】挿入部の縦断面図である。
【図３】第１の実施の形態の全体斜視図である。
【図４】第２の実施の形態の説明図である。
【図５】第３の実施の形態の横断面図である。
【図６】第４の実施の形態の横断面図である。
【図７】第５の実施の形態の全体斜視図である。
【符号の説明】
【００３７】
２    基台
３    ドーム
７    挿入部
８    受け部材
９    凸部
１０  押圧部材
１１  押動手段
１４  加温手段
【図１】
2006181178.tif 000003
【図２】
2006181178.tif 000004
【図３】
2006181178.tif 000005
【図４】
2006181178.tif 000006
【図５】
2006181178.tif 000007
【図６】
2006181178.tif 000008
【図７】
2006181178.tif 000009